(57)【特許請求の範囲】
【請求項１】
目地部を介して設けられた左右の床躯体の一方の目地部側の床躯体に形成された反目地部側が傾斜面の目地プレート支持ガイド凹部と、前記左右の床躯体の他方の目地部側の床躯体に固定された目地プレート支持部材あるいは形成された目地プレート支持凹部と、この目地プレート支持部材あるいは目地プレート支持凹部に後端部が支持され、先端部が前記目地プレート支持ガイド凹部を覆い、目地部が狭くなると前記一方の床躯体上へ乗り上がる目地プレートと、この目地プレートの後端部を上方へ移動可能に支持する目地プレート支持具と、前記目地プレートのほぼ中央部に位置する前記他方の目地部側の床躯体に軸心が水平方向の回動軸によって回動可能に取付けられた四角枠あるいは板状の目地プレート押し上げ杆と、この目地プレート押し上げ杆を所定位置より下方への回動を阻止するストッパーと、一端部が前記他方の目地部側の床躯体に枢支され、前記一方の目地部側の床躯体に傾斜状態で当接する他端部が水平方向に回動可能とされ、目地部が狭くなると、他端部が一方の目地部側の床躯体によって押し付けられ他方の躯体方向に回動することによって、目地プレート押し上げ杆を上方へ回動させて前記目地プレートの後端部をほぼ水平状態で押し上げる作動杆とからなることを特徴とする床用目地装置。
【請求項２】
目地部を介して設けられた左右の床躯体の一方の目地部側の床躯体に形成された反目地部側が傾斜面の目地プレート支持ガイド凹部と、前記左右の床躯体の他方の目地部側の床躯体に固定された目地プレート支持部材あるいは形成された目地プレート支持凹部と、この目地プレート支持部材あるいは目地プレート支持凹部に後端部が支持され、先端部が前記目地プレート支持ガイド凹部を覆い、目地部が狭くなると前記一方の床躯体上へ乗り上がる目地プレートと、この目地プレートの後端部を上方へ移動可能に支持する目地プレート支持具と、前記目地プレートのほぼ中央部に位置する前記他方の目地部側の床躯体に軸心が水平方向の回動軸によって回動可能に取付けられた先端部の両側部寄りの部位より上方に突出する押し上げ片を有する四角枠あるいは板状の目地プレート押し上げ杆と、この目地プレート押し上げ杆を所定位置より下方への回動を阻止するストッパーと、一端部が前記他方の目地部側の床躯体に枢支され、前記一方の目地部側の床躯体に傾斜状態で当接する他端部が水平方向に回動可能とされ、目地部が狭くなると、他端部が一方の目地部側の床躯体によって押し付けられ他方の躯体方向に回動することによって、目地プレート押し上げ杆を上方へ回動させて前記目地プレートの後端部をほぼ水平状態で押し上げる作動杆と、この作動杆の他端部の水平方向の移動をガイドする、前記一方の目地部側の床躯体に取付けられたガイドレールとからなることを特徴とする床用目地装置。
【請求項３】
目地プレート押し上げ杆の先端部には目地プレートの底面をスムーズに移動するローラー等の滑り体が設けられていることを特徴とする請求項１又は２記載の床用目地装置。
【発明の詳細な説明】
【０００１】
【発明の属する技術分野】
本発明は目地部を介して設けられた左右の建物や、建物とよう壁等の左右の床躯体間の目地部を覆う床用目地装置に関する。
【０００２】
【従来の技術】
従来の床用目地装置は一方の建物の目地部側の床面に反目地部側が傾斜面に形成された一方の凹部と、この一方の凹部と対応する部位の他方の建物の目地部側の床面に形成された目地プレート支持凹部と、この目地プレート支持凹部に上下移動可能に後端部が支持され、先端部が前記一方の凹部を覆うように支持された先端部に傾斜面が形成された目地プレートと、この目地プレートの後端部を前記目地プレート支持凹部に上下移動可能に支持する支持具とで構成されている。
【０００３】
【発明が解決しようとする課題】
従来の床用目地装置は、地震等によって左右の建物が揺れ動き、目地部が狭くなると目地プレートの傾斜面が形成された先端部が一方の凹部の傾斜面上をスライド移動して、一方の床面上に傾斜状態で突出するように移動する。このため、目地プレートの先端部が一方の床面より傾斜状態で上方に突出するため、危険であるという欠点があった。
【０００４】
本発明は以上のような従来の欠点に鑑み、目地部が狭くなった場合に目地プレートの後端部を自動的にほぼ水平状態で上方へスムーズに押し上げ、先端部が一方の床躯体上へ傾斜状態で大きく突出して危険になるのを確実に防止することができる床用目地装置を提供することを目的としている。
【０００５】
本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【０００６】
【課題を解決するための手段】
上記目的を達成するために、本発明は目地部を介して設けられた左右の床躯体の一方の目地部側の床躯体に形成された反目地部側が傾斜面の目地プレート支持ガイド凹部と、前記左右の床躯体の他方の目地部側の床躯体に固定された目地プレート支持部材あるいは形成された目地プレート支持凹部と、この目地プレート支持部材あるいは目地プレート支持凹部に後端部が支持され、先端部が前記目地プレート支持ガイド凹部を覆い、目地部が狭くなると前記一方の床躯体上へ乗り上がる目地プレートと、この目地プレートの後端部を上方へ移動可能に支持する目地プレート支持具と、前記目地プレートのほぼ中央部に位置する前記他方の目地部側の床躯体に軸心が水平方向の回動軸によって回動可能に取付けられた四角枠あるいは板状の目地プレート押し上げ杆と、この目地プレート押し上げ杆を所定位置より下方への回動を阻止するストッパーと、一端部が前記他方の目地部側の床躯体に枢支され、前記一方の目地部側の床躯体に傾斜状態で当接する他端部が水平方向に回動可能に枢支され、目地部が狭くなると、他端部が一方の目地部側の床躯体によって押し付けられ他方の躯体方向に回動することによって、目地プレート押し上げ杆を上方へ回動させて前記目地プレートの後端部をほぼ水平状態で押し上げる作動杆とで床用目地装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して設けられた左右の建物３、３や、建物とよう壁等の左右の床躯体３ａ、３ａ間の目地部を覆う本発明の床用目地装置で、この床用目地装置１は前記左右の床躯体３ａ、３ａの一方の目地部側の床躯体３ａに形成された反目地部側が傾斜面４の目地プレート支持ガイド凹部５と、前記左右の床躯体３ａ、３ａの他方の目地部側の床躯体３ａに形成された目地プレート支持凹部６と、この目地プレート支持凹部６に後端部が支持され、先端部が前記目地プレート支持ガイド凹部５を覆い、目地部２が狭くなると前記一方の床躯体３ａ上へ乗り上がる目地プレート７と、この目地プレート７の後端部を上方へ移動可能に支持する、該目地プレート７の後端部の両側面寄りの底面に下方へ突出するように固定されたガイドピン８、８および、このガイドピン８、８が上下移動可能に収納される前記目地プレート支持凹部６に形成されたガイド筒９、９とからなる目地プレート支持具１０と、前記目地プレート７のほぼ中央部に位置する、前記他方の目地部側の床躯体３ａに複数本のビス１１等によって取付けられた両端部が直角に折り曲げられた取付け金具１２に軸心が水平方向の回動軸１３によって回動可能に取付けられた板状の目地プレート押し上げ杆１４と、この目地プレート押し上げ杆１４を所定位置より下方への回動を阻止するストッパー１５と、前記目地プレート押し上げ杆１４の先端部に必要に応じて取付けられる滑り体としてのローラー１６と、一端部が前記他方の目地部側の床躯体３ａに複数本のビス１１等によって取付けられた取付け金具１７に垂直方向の枢支軸１８を介して取付けられ、前記一方の目地部側の床躯体３ａに傾斜状態で当接する他端部が水平方向に回動する、目地部が狭くなると前記目地プレート押し上げ杆１４を上方へ回動させて前記目地プレート７の後端部をほぼ水平状態で押し上げる作動杆１９と、前記取付け金具１７に形成された前記作動杆１９が反作動方向に回動するを阻止する阻止片２０と、前記目地プレート７の先端および後端上部に枢支ピン２１、２１を介して先端部が上下方向に回動可能に取付けられた端部ガイドプレート２２、２２とで構成されている。
【０００９】
前記目地プレート７は図５に示すように、薄い四角皿状に金属板等で形成された目地プレート本体２３と、この目地プレート本体２３内にモルタルやコンクリート２４等を介して取付けられた、タイルや床化粧板等の床材２５とで構成されている。
【００１０】
上記構成の床用目地装置１は地震等によって目地部２が広くなるように揺れ動いた場合には、図６に示すように目地プレート７の先端部が目地プレート支持ガイド凹部５上をスライド移動して、その揺れ動きを吸収する。
【００１１】
目地部２が狭くなるように揺れ動いた場合には、図７および図８に示すように目地プレート７の先端部が目地プレート支持ガイド凹部５の反目地部側の傾斜面４に沿って上方へスライド移動するとともに、作動杆１９の他端部が一方の目地部側の床躯体３ａによって押し付けられ、他方の床躯体３ａ方向に回動する。この作動杆１９の回動によって、目地プレート押し上げ杆１４の先端部が上方へ突出するように回動させ、目地プレート７の後端部を線接触状態で上方へほぼ水平状態で押し上げ、目地プレート７の先端部が傾斜状態で一方の床躯体３ａ上へ大きく突出するのを確実に防止する。目地部２が広がると目地プレート７の自重により、自動的に元の状態に戻る。
【００１２】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図９ないし図１１に示す本発明の第２の実施の形態において、前記本発明の第１の実施の形態と主に異なる点は、目地プレート支持ガイド凹部５を複数本のビス１１等によって覆えるように固定した目地プレート支持カバー部材２６と、目地プレート支持凹部６を複数本のビス１１等によって覆えるように固定された目地プレート支持カバー部材２７と、両側寄りの部位に上方へ突出するローラー１６Ａ、１６Ａを備えた押し上げ片２８、２８を設けた目地プレート押し上げ杆１４Ａを用いた点で、このように構成した床用目地装置１Ａにしても、前記本発明の第１の実施の形態と同様な作用効果が得られる。
【００１４】
図１２ないし図１４に示す本発明者が考えた床用目地装置において、前記本発明の第１の実施の形態と主に異なる点は、他端部にガイドローラー２９が取付けられた作動杆１９Ａと、この作動杆１９Ａのガイドローラー２９をガイドする一方の目地部側の床躯体３ａに取付けられたガイドレール３０と、他方の目地部側の床躯体３ａに複数本のビス１１等によって固定された目地プレート７の後端部を支持するクランク状の目地プレート支持部材３１とを用いた点で、このように構成した床用目地装置１Ｂにしてもよい。
【００１５】
図１５ないし図１７に示す本発明の第４の実施の形態において、前記本発明の第２の実施の形態と主に異なる点は、四角枠状の目地プレート押し上げ杆１４Ｂを用いた点で、このような目地プレート押し上げ杆１４Ｂを用いて構成した床用目地装置１Ｃにしても、前記本発明の第２の実施の形態と同様な作用効果が得られる。
【００１６】
【発明の効果】
以上の説明から明らかなように、本発明にあっては次に列挙する効果が得られる。
【００１７】
（１）目地部を介して設けられた左右の床躯体の一方の目地部側の床躯体に形成された反目地部側が傾斜面の目地プレート支持ガイド凹部と、前記左右の床躯体の他方の目地部側の床躯体に固定された目地プレート支持部材あるいは形成された目地プレート支持凹部と、この目地プレート支持部材あるいは目地プレート支持凹部に後端部が支持され、先端部が前記目地プレート支持ガイド凹部を覆い、目地部が狭くなると前記一方の床躯体上へ乗り上がる目地プレートと、この目地プレートの後端部を上方へ移動可能に支持する目地プレート支持具と、前記目地プレートのほぼ中央部に位置する前記他方の目地部側の床躯体に軸心が水平方向の回動軸によって回動可能に取付けられた四角枠あるいは板状の目地プレート押し上げ杆と、この目地プレート押し上げ杆を所定位置より下方への回動を阻止するストッパーと、一端部が前記他方の目地部側の床躯体に枢支され、前記一方の目地部側の床躯体に傾斜状態で当接する他端部が水平方向に回動可能に枢支され、目地部が狭くなると、他端部が一方の目地部側の床躯体によって押し付けられ他方の躯体方向に回動することによって、目地プレート押し上げ杆を上方へ回動させて前記目地プレートの後端部をほぼ水平状態で押し上げる作動杆とで構成されているので、目地部が狭くなると目地プレートの先端部が一方の床躯体上へ乗り上がるとともに、作動杆が回動して目地プレート押し上げ杆の先端部が目地プレートの後端部を線接触状態で押し上げることができる。したがって、目地プレートの先端部が従来のように傾斜状態で一方の床躯体上へ突出するのを防止することができ、安全に使用することができる。
【００１８】
（２）前記（１）によって、目地プレートの後端部を線接触状態で目地プレート押し上げ杆で押し上げるので、目地プレートの後端部をほぼ水平状態でスムーズに押し上げることができ、従来のように目地プレートの後端部が水平状態でなくなり、動かなくなったりする不具合を確実に防止できる。
【００１９】
（３）前記（１）によって、構造が簡単で、容易に設置することができる。
【００２０】
（４）請求項２、３も前記（１）〜（３）と同様な効果が得られる。
【図面の簡単な説明】
【図１】本発明の第１の実施の形態の平面図。
【図２】図１の２−２線に沿う拡大断面図。
【図３】図１の３−３線に沿う拡大断面図。
【図４】本発明の第１の実施の形態の目地プレートを外した状態の平面図。
【図５】本発明の第１の実施の形態の目地プレート押し上げ杆の説明図。
【図６】本発明の第１の実施の形態の目地部が広くなった動作説明図。
【図７】本発明の第１の実施の形態の目地部が狭くなった動作説明図。
【図８】図３の８−８線に沿う断面図。
【図９】本発明の第２の実施の形態の平面図。
【図１０】図９の１０−１０線に沿う拡大断面図。
【図１１】本発明の第２の実施の形態の目地プレート押し上げ杆の説明図。
【図１２】本発明者が考えた床用目地装置の平面図。
【図１３】図１２の１３−１３線に沿う拡大断面図。
【図１４】本発明者が考えた床用目地装置の目地プレートを外した状態の平面図。
【図１５】本発明の第４の実施の形態の平面図。
【図１６】図１５の１６−１６線に沿う拡大断面図。
【図１７】本発明の第４の実施の形態の目地プレート押し上げ杆の説明図。
【符号の説明】
1、1Ａ、１Ｂ、１Ｃ：床用目地装置、
2：目地部、               ３：建物、
３ａ：床躯体、            ４：傾斜面、
５：目地プレート支持ガイド凹部、
６：目地プレート支持凹部、７：目地プレート、
８：ガイドピン、          ９：ガイド筒、
１０：目地プレート支持具、１１：ビス、
１２：取付け金具、        １３：回動軸、
１４、１４Ａ、１４Ｂ：目地プレート押し上げ杆、
１５：ストッパー、       １６、１６Ａ：ローラー、
１７：取付け金具、       １８：枢支軸、
１９、１９Ａ：作動杆、   ２０：阻止片、
２１：枢支ピン、         ２２：端部ガイドプレート、
２３：目地プレート本体、  ２４：モルタルやコンクリート、
２５：床材、
２６：目地プレート支持カバー部材、
２７：目地プレート支持カバー部材、
２８：押し上げ片、       ２９：ガイドローラー、
３０：ガイドレール、      ３１：目地プレート支持部材。
【図１】
0003880408.tif 000002
【図２】
0003880408.tif 000003
【図３】
0003880408.tif 000004
【図４】
0003880408.tif 000005
【図５】
0003880408.tif 000006
【図６】
0003880408.tif 000007
【図７】
0003880408.tif 000008
【図８】
0003880408.tif 000009
【図９】
0003880408.tif 000010
【図１０】
0003880408.tif 000011
【図１１】
0003880408.tif 000012
【図１２】
0003880408.tif 000013
【図１３】
0003880408.tif 000014
【図１４】
0003880408.tif 000015
【図１５】
0003880408.tif 000016
【図１６】
0003880408.tif 000017
【図１７】
0003880408.tif 000018